【手続補正書】
【提出日】平成29年3月31日(2017.3.31)
【手続補正１】
【補正対象書類名】明細書
【補正対象項目名】０００９
【補正方法】変更
【補正の内容】
【０００９】
上記目的を達成するために、本発明の画像形成装置は、画像形成装置から排紙された複数枚の用紙を積載可能な積載トレイと、前記画像形成装置から排紙された複数枚の用紙に対して中綴じ処理を実行する後処理部と、前記後処理部により中綴じ処理された用紙束が製本物として排紙される中綴じ処理トレイと、を備えた用紙後処理装置が接続される前記画像形成装置であって、前記画像形成装置に入力された、前記中綴じ処理の実行が指定されたジョブに基づいて、１部あたりの出力枚数を算出すると共に、前記出力枚数が中綴じ可能枚数を超えるか否かを判断し、前記出力枚数が前記中綴じ可能枚数を超えると判断したときは、該ジョブに指定されている中綴じ処理の指定を解除し、前記中綴じ処理を実行せずに前記積載トレイに用紙を排出するように前記用紙後処理装置に指示すると共に、前記積載トレイに製本物の外側に該当する用紙が排紙された後に製本物の内側に該当する用紙が排紙されるように画像形成の順序を制御する制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
画像形成装置から排紙された複数枚の用紙を積載可能な積載トレイと、前記画像形成装置から排紙された複数枚の用紙に対して中綴じ処理を実行する後処理部と、前記後処理部により中綴じ処理された用紙束が製本物として排紙される中綴じ処理トレイと、を備えた用紙後処理装置が接続される前記画像形成装置であって、
前記画像形成装置に入力された、前記中綴じ処理の実行が指定されたジョブに基づいて、１部あたりの出力枚数を算出すると共に、前記出力枚数が中綴じ可能枚数を超えるか否かを判断し、前記出力枚数が前記中綴じ可能枚数を超えると判断したときは、該ジョブに指定されている中綴じ処理の指定を解除し、
前記中綴じ処理を実行せずに前記積載トレイに用紙を排出するように前記用紙後処理装置に指示すると共に、前記積載トレイに製本物の外側に該当する用紙が排紙された後に製本物の内側に該当する用紙が排紙されるように画像形成の順序を制御する制御手段と、を備えることを特徴とする画像形成装置。
【請求項２】
前記用紙後処理装置は、前記画像形成装置から排紙された用紙を前記積載トレイに導く第１の搬送路と、前記第１の搬送路に搬送された用紙を搬送ローラによりスイッチバックさせて前記中綴じ処理トレイに導く第２の搬送路とを備えることを特徴とする請求項１に記載の画像形成装置。
【請求項３】
表示手段をさらに備える画像形成装置であって、
前記後処理部は、前記画像形成装置から排紙された複数枚の用紙に対して中綴じ処理もしくは中折り処理を実行して、中綴じ処理もしくは中折り処理された用紙束は、製本物として前記中綴じ処理トレイに排紙され、
前記制御手段は、前記画像形成装置に入力された、前記中綴じ処理の実行が指定されたジョブに基づいて、１部あたりの出力枚数を算出すると共に、前記出力枚数が中綴じ可能枚数を超えるか否かを判断し、前記出力枚数が前記中綴じ可能枚数を超えると判断したときは、印刷を中止するか、中折り処理を実行するか、中綴じ処理の指定を解除するかの何れかの選択をユーザに促す画面を前記表示手段に表示する制御を行い、
前記制御手段は、中折り処理を実行する選択が行われた場合に、前記中綴じ処理トレイに製本物の内側に該当する用紙を排紙した後に製本物の外側に該当する用紙を排紙するように画像形成の順序を制御する一方、中綴じ処理を解除する選択が行われた場合に、前記積載トレイに製本物の外側に該当する用紙が排紙された後に製本物の内側に該当する用紙が排紙されるように画像形成の順序を制御することを特徴とする請求項１又は２に記載の画像形成装置。
【請求項４】
前記制御手段は、前記画像形成装置に入力されたジョブに製本物の表紙をつける指定がされているか否かを判断し、前記中折り処理を実行する選択が行われ且つ製本物の表紙をつける指定がされている場合に、前記中綴じ処理トレイに製本物の本文に該当する用紙を排紙した後に製本物の表紙に該当する用紙を排紙するように画像形成の順序を制御する一方、中綴じ処理を解除する選択が行われ且つ製本物の表紙をつける指定がされている場合に、前記積載トレイに製本物の表紙に該当する用紙を排紙した後に製本物の本文に該当する用紙を排紙するように画像形成の順序を制御することを特徴とする請求項３に記載の画像形成装置。
【請求項５】
画像形成装置から排紙された複数枚の用紙を積載可能な積載トレイと、前記画像形成装置から排紙された複数枚の用紙に対して中綴じ処理を実行する後処理部と、前記後処理部により中綴じ処理された用紙束が製本物として排紙される中綴じ処理トレイと、を備えた用紙後処理装置が接続される前記画像形成装置の制御方法であって、
前記画像形成装置に入力された、前記中綴じ処理の実行が指定されたジョブに基づいて、１部あたりの出力枚数を算出すると共に、前記出力枚数が中綴じ可能枚数を超えるか否かを判断し、前記出力枚数が前記中綴じ可能枚数を超えると判断したときは、該ジョブに指定されている中綴じ処理の指定を解除し、
前記中綴じ処理を実行せずに前記積載トレイに用紙を排出するように前記用紙後処理装置に指示すると共に、前記積載トレイに製本物の外側に該当する用紙が排紙された後に製本物の内側に該当する用紙が排紙されるように画像形成の順序を制御する制御工程と、を備えることを特徴とする画像形成装置の制御方法。
【請求項６】
前記用紙後処理装置は、前記画像形成装置から排紙された用紙を前記積載トレイに導く第１の搬送路と、前記第１の搬送路に搬送された用紙を搬送ローラによりスイッチバックさせて前記中綴じ処理トレイに導く第２の搬送路とを備えることを特徴とする請求項５に記載の画像形成装置の制御方法。
【請求項７】
前記画像形成装置は表示手段をさらに備え、
前記後処理部は、前記画像形成装置から排紙された複数枚の用紙に対して中綴じ処理もしくは中折り処理を実行して、中綴じ処理もしくは中折り処理された用紙束は、製本物として前記中綴じ処理トレイに排紙され、
前記制御工程は、前記画像形成装置に入力された、前記中綴じ処理の実行が指定されたジョブに基づいて、１部あたりの出力枚数を算出すると共に、前記出力枚数が中綴じ可能枚数を超えるか否かを判断し、前記出力枚数が前記中綴じ可能枚数を超えると判断したときは、印刷を中止するか、中折り処理を実行するか、中綴じ処理の指定を解除するかの何れかの選択をユーザに促す画面を前記表示手段に表示する制御を行い、
前記制御工程は、中折り処理を実行する選択が行われた場合に、前記中綴じ処理トレイに製本物の内側に該当する用紙を排紙した後に製本物の外側に該当する用紙を排紙するように画像形成の順序を制御する一方、中綴じ処理を解除する選択が行われた場合に、前記積載トレイに製本物の外側に該当する用紙が排紙された後に製本物の内側に該当する用紙が排紙されるように画像形成の順序を制御することを特徴とする請求項５又は６に記載の画像形成装置の制御方法。
【請求項８】
前記制御工程は、前記画像形成装置に入力されたジョブに製本物の表紙をつける指定がされているか否かを判断し、中折り処理を実行する選択が行われ且つ製本物の表紙をつける指定がされている場合に前記中綴じ処理トレイに製本物の本文に該当する用紙を排紙した後に製本物の表紙に該当する用紙を排紙するように画像形成の順序を制御する一方、中綴じ処理を解除する選択が行われ且つ製本物の表紙をつける指定がされている場合に前記積載トレイに製本物の表紙に該当する用紙を排紙した後に製本物の本文に該当する用紙を排紙するように画像形成の順序を制御することを特徴とする請求項７に記載の画像形成装置の制御方法。
【請求項９】
請求項５乃至８のいずれか１項に記載の制御方法をコンピュータに実行させるためのプログラム。